(57)【特許請求の範囲】
【請求項１】
通孔を穿設してその上部に利用者が載置する載置台と、この載置台の外周部に立設させて内部に湯を溜める外框体と、前記載置台の下側に設けて前記外框体と前記通孔を介して連通させた中間室と、この中間室に設けた前記湯の供給口および湯の排出口と、前記中間室内に設けて前記載置台の通孔より前記中間室に充満される空気または湯をモータ等の駆動部材により回転する羽根体によって圧送する旋回手段とを備えさせたことを特徴とする入浴装置。
【請求項２】
カプセル状の本体と、この本体内の下側に設けてその一部または全体に通孔を穿設し該上部に利用者が載置する載置台と、この載置台の外周部に立設させて一側部に利用者が出入り可能となる通路を開口させ、その内部に湯を溜める外框体と、この外框体の通路を開閉自在とする扉体と、前記載置台の下側に設けて前記外框体と前記通孔を介して連通させた中間室と、この中間室に設けた前記湯の供給口および湯の排出口と、前記中間室内に設けて前記載置台の通孔より前記中間室に充満される空気または湯をモータ等の駆動部材により回転する羽根体によって圧送する旋回手段とを備えさせたことを特徴とする入浴装置。
【請求項３】
外框体は、その高さ方向を複数に分割して、それぞれを鞘状に重ねて挿嵌し、高さ方向へ摺動自在に形成させたことを特徴とする請求項１記載の入浴装置。
【請求項４】
外框体の上方にシャワー部材を設けたことを特徴とする請求項１または２記載の入浴装置。
【請求項５】
中間室に設けた湯の供給口に、湯を圧送する湯圧送手段を接続させたことを特徴とする請求項１記載の入浴装置。
【発明の詳細な説明】
【０００１】
【産業上の利用分野】
本発明は、省スペースに形成できて簡単に入浴を行うことができ、使用後は清潔に維持させることができる入浴装置に関する。
【０００２】
【従来の技術】
従来、風呂における入浴にあっては、浴槽内に湯を張って、利用者はその浴槽内に横たわって湯に浸かり、身体の洗浄にあっては、この浴槽から出て、洗い場において洗剤等を使って行っていた。
しかしながら、前記風呂はその全体のスペースを多く取るため、風呂場に充分な場所を取れないところでは、バスタブとシャワーとが一緒となった風呂の設置となるが、それでも、０．５坪以上のスペースが必要となるものであった。
【０００３】
【発明が解決しようとする課題】
本発明は前記した問題点を解決するためになされたもので、通孔を穿設してその上部に利用者が載置する載置台の外周部に、内部に湯を溜める外框体を立設させ、載置台の下側に外框体と通孔を介して連通させた中間室を設けて、この中間室に前記湯の供給口および湯の排出口を設けると共に、中間室内に載置台の通孔より空気を圧送する旋回手段を設けることにより、省スペースに形成できて簡単に入浴を行うことができ、使用後は清潔に維持させることができる入浴装置を提供することを目的としている。
【０００４】
【課題を解決するための手段】
前記した目的を達成するための本発明の手段は、通孔を穿設してその上部に利用者が載置する載置台と、この載置台の外周部に立設させて内部に湯を溜める外框体と、前記載置台の下側に設けて前記外框体と前記通孔を介して連通させた中間室と、この中間室に設けた前記湯の供給口および湯の排出口と、前記中間室内に設けて前記載置台の通孔より前記中間室に充満される空気または湯をモータ等の駆動部材により回転する羽根体によって圧送する旋回手段とを備えさせた入浴装置の構成にある。
【０００５】
そして、カプセル状の本体と、この本体内の下側に設けてその一部または全体に通孔を穿設し該上部に利用者が載置する載置台と、この載置台の外周部に立設させて一側部に利用者が出入り可能となる通路を開口させ、その内部に湯を溜める外框体と、この外框体の通路を開閉自在とする扉体と、前記載置台の下側に設けて前記外框体と前記通孔を介して連通させた中間室と、この中間室に設けた前記湯の供給口および湯の排出口と、前記中間室内に設けて前記載置台の通孔より前記中間室に充満される空気または湯をモータ等の駆動部材により回転する羽根体によって圧送する旋回手段とを備えさせた入浴装置の構成にある。
【０００６】
外框体は、その高さ方向を複数に分割して、それぞれを鞘状に重ねて挿嵌し、高さ方向へ摺動自在に形成させる。
【０００７】
外框体の上方にシャワー部材を設ける。
【０００８】
中間室に設けた湯の供給口に、湯を圧送する湯圧送手段を接続させる。
【０００９】
【実施例】
次に、本発明に関する入浴装置の実施の一例を図面に基づいて説明する。
図１〜図３においてＡは第一の実施例を示す入浴装置で、載置台１と、外框体２と、中間室３と、湯ｂの供給口４および湯ｂの排出口５と、旋回手段６とにより基本的に構成される。
【００１０】
そして、前記した載置台１は、ステンレス鋼等の腐食しにくく滑りにくい金属等により、平面形状が円形や角形などに形成して、その全体にまたは所定箇所において、入浴利用者ｃの足や指，肉が入らない程度に形成させた通孔７を穿設してあって、該載置台１の上部に入浴利用者ｃが立った状態で載置する。
なお、通孔７は小孔を全体へ万遍なく多数散在させておくことが好ましいものであって、湯ｂや空気の流通性が良好の形状を有する。
【００１１】
前記した外框体２は、載置台１の外周部へ図示してないシール部材を介在させて水密的に立設させて、該外框体２の内部に湯ｂを溜めておくもので、少なくとも、内部に入用利用者ｃが充分に湯ｂに浸かる程度の高さを有する。
この外框体２は、載置台１の外形状と相似形を有した、その平面形状を円形や角形などの筒状に形成して、図１に示すように、その高さ方向を複数（本実施例においては、３分割）の小外框部材２ａ，２ｂ，２ｃ…に分割して、それぞれの小外框部材２ａ，２ｂ，２ｃ…を鞘状に重ねて挿嵌して、高さ方向へ個別に摺動自在となるように形成させる。
この場合、各小外框部材２ａ，２ｂ，２ｃ…は、図示してないシール部材を介在させて水密的に接続されており、図１および図２に示すように、最上部の小外框部材２ｃを上昇させることで、該小外框部材２ｃが所定ストロークの上昇後、他の小外框部材２ａおよび２ｂがこの小外框部材２ｃと連動して上昇して、入用利用者ｃの背丈以上に高さが拡張される。また、最上部の小外框部材２ｃの降下に伴って、該小外框部材２ｃが所定ストロークの降下後、他の小外框部材２ａ，２ｂが連動して降下することで、入用利用者ｃがこの外框体２に対して出入り自在となる高さまで縮小される。また、この外框体２は、図２に示すように、縮小された状態からなお降下させることもできるもので、これにより、入用利用者ｃは、一層床３２などから該外框体２に対して出入りが容易となる。
これら小外框部材２ａ，２ｂ，２ｃ…の昇降駆動にあっては、安全装置付きのモータ等の昇降部材（図示せず）が用いられる。
【００１２】
なお、この外框体２は、図３に示すように、複数に分割しない一連状に形成してもよく、この場合、載置台１の下方に、該外框体２全体が降下することで、入用利用者ｃがこの外框体２に対して出入り自在となる。
更には、図示してないが、複数個の外框体２を並設することもできる。
【００１３】
前記した中間室３は、載置台１の下側に設けて外框体１と通孔７を介して連通させてあって、その内部は、外部との水密性および気密性は保たれた状態に形成される。
【００１４】
前記した湯ｂの供給口４および湯ｂの排出口５は、中間室３に設けてあって、湯ｂの供給口４には給湯管８を接続し、湯ｂの排出口５には排水管９をそれぞれ接続させてある。なお、中間室３に中継体１０を取り付けてこの中継体１０を介して供給口４および排出口５を接続すれば、一度に多くの湯ｂの供給および排出を効率よく迅速に行える。
【００１５】
なお、湯ｂの供給口４には、給湯管８を介して湯ｂを圧送する湯圧送手段１１を接続させてあるもので、この湯圧送手段１１は、短時間に、大量の湯ｂを中間室３を介して外框体２内へ供給することができる。
該湯圧送手段１１は、例えば、図４において原理的に示すように、貯留槽１２内へ収容した湯ｂを慣用のポンプ体１３により押し出すことで、給湯管８から外框体２内へ圧送される。この湯ｂは、入浴に適した温度（例えば、４０℃前後）に調整されているもので、慣用の温水器や太陽熱利用、更には、加熱手段により加温された湯ｂを貯留槽１２へ一定量を過不足なく供給される。
【００１６】
前記した旋回手段６は、中間室３内に設けて載置台１の通孔７より外框体２内へ空気や湯ｂなどを圧送したり、湯ｂに対して旋回流を与えたり、更には、湯ｂの排出に際して、旋回させてその排出促進を行うもので、また、外框体２内の湯を排出した後の、入浴利用者ｃの乾燥や外框体２の乾燥を行う。
【００１７】
そして、この旋回手段６は、モータ等の駆動部材１４により回転される羽根体１５が用いられるもので、送風に用いた場合には、この羽根体１５により発生した加圧空気は、通孔７から外框体２内に吹き込まれて、入浴利用者ｃの身体に付着している水分を除去する。
この加圧空気は、外気温度の空気であってもよいが、クーラーやヒータなどの熱交換機１６により一定の温度調整されたものが好ましいもので、夏場であれば冷風を、冬場であれば温風を、中間室３の適所から該中間室３内へ供給する。
また、送水に用いる場合には、中間室３内に湯ｂなどを充満させた状態において、この旋回手段６を作動させることで、該中間室３内に渦巻き流が生ずると共に、羽根体１５の回転方向に応じて、通孔７を経て外框体２への湯ｂなどの圧送や、通孔７を経て外框体２からの湯ｂなどの吸引作用がなされる。
【００１８】
図１および図２において１７は、外框体２の上方に設けたシャワー部材で、冷水または所定温度に調整された温水を拡散状態で外框体２の上部から供給することで、入浴利用者ｃの身体のゆすぎや外框体２内などの洗浄などが行える。必要に応じて、このシャワー部材１７を上部から昇降自在に引き下ろすことで、手で操作して、身体や外框体２内の希望箇所へ噴射水を当てることができる。
【００１９】
なお、外框体２の上方においては、湯ｂや湯気等が外部へ放散しないように覆体１８を取り付けてあるもので、外框体２の上側部と接続されることでその効果を発揮する。該覆体１８は蛇腹状等に形成して伸縮が可能となるように構成することで、外框体２の昇降高さに対応することができる。
また、この覆体１８には、排気部材１９を取り付けて、中間室３からの旋回手段６による加圧空気を、外框体２の上部において吸気して、外框体２内が必要以上に加圧されたり減圧されたりすることがないようにする。
【００２０】
図１および図２，図４において２０は水位検出手段で、外框体２の適所に取り付けて、外框体２内に供給された湯ｂの上限水位ｂ１を検出することで、この検出信号が湯ｂの供給操作を停止させる。
この水位検出手段２０による湯ｂの上限水位ｂ１の検出は、入浴利用者ｃの利用状況などに応じて適宜変更することができるもので、外框体２の高さ方向に対して複数個設けて、入浴利用者ｃが事前に上昇する推移を把握することができるようにすることもできる。
【００２１】
また、外框体２内において、載置台１（外框体２の内部適所であっても構わない。）の適所には、図５に示すように、入浴利用者ｃが直ちに操作することができる湯供給・停止ボタン２１と、湯排出ボタン２２およびシャワー部材作動ボタン２３，旋回手段６と排気部材１９を作動させる操作ボタン２４、更には、外框体２の昇降部材の作動ボタン３０とを設けてあるもので、入浴利用者ｃが足踏みによって操作できる位置でかつ入浴に妨げとならない位置に設けられる。
【００２２】
なお、中間室３を介して外框体２内へは、図１に示すように、必要に応じて、湯ｂに溶解可能な入浴剤や芳香剤，栄養素などを注入部２６から供給することもでき、また、超音波による気泡をバブル発生手段２７から供給することができ、更に、供給体２８からマイナスイオンやオゾンなどを供給することもできる。
【００２３】
図２において３１は身体保持部材で、外框体２内において外框体２あるいは載置台１の適所に配設してある。これにより、入浴利用者ｃは入浴中、手でこの身体保持部材３１に掴まって身体を安定させたり、これに身体を寄り添わせて入浴の疲労感などを緩和させるもので、バブル発生手段２７や旋回手段６を作動させた場合には特に有効である。また、必要に応じて、椅子式に形成させて、入浴利用者ｃが坐った、あるいは、尻部を少しこの身体保持部材３１に乗せた状態で入浴ができるものである。
【００２４】
したがって、前述のように構成される本発明の第一実施例の入浴装置Ａは以下に述べる作用を奏する。
入浴利用者ｃの利用にあって、図２に示すように、外框体２を複数個（例えば、三分割）に分割したものを用いる場合には、まず、それぞれの小外框部材２ａ，２ｂ，２ｃを最下限まで降下させた状態で、入浴利用者ｃは、床３２などから載置台１上に立つ。
そして、作動ボタン３０により図示しない昇降部材を操作させて外框体２の各小外框部材２ａ，２ｂ，２ｃを上昇させる（小外框部材２ａが固定式の場合は、この小外框部材２ａは移動しない。）と、図１に示すように、外框体２は入浴利用者ｃの背丈を覆う高さまで上昇する。この外框体２の上昇位置は、入浴利用者ｃの背丈に応じて適宜調整される。
【００２５】
この状態で、湯供給・停止ボタン２１を操作すれば、４０℃前後に調整された湯ｂが湯圧送手段１１によって貯留槽１２から給湯管８を介して湯ｂの供給孔４に送られる。この湯圧送手段１１による給湯操作は、短時間で迅速に外框体２内への湯ｂ張りが行えて、冬場の外気が低下している場合であっても、入浴利用者ｃへの身体的な負担等を与えない。
そして、この湯ｂは、中間室３から載置台１の通孔７を経て外框体２内へ供給される。次第に湯ｂの水位ｂ１は上昇するもので、適性水位ｂ１に達すると水位検出手段２０が作動して図示してない制御手段により湯圧送手段１１を停止させる。
【００２６】
入浴利用者ｃは、この状態において、湯ｂに略全身が浸かった入浴を楽しむことができるもので、必要に応じて、注入部２６から入浴剤や芳香剤，栄養素などを供給すれば、外框体２内の湯ｂ中に溶けてそれらの有効成分が入浴利用者ｃの身体へ働く。特に、中間室３内に設けた旋回手段６により湯ｂには旋回流が起こり、身体の洗浄作用を行う。
【００２７】
更に、バブル発生装置２７より超音波を発生させる気泡等を外框体２へ供給させることで、身体の汚れの除去や血行の促進効果が得られる。また、供給体２８からマイナスイオンやオゾンなども供給することができるものである。なお、前記注入部２６より洗剤を供給することができるものであるが、前記旋回手段６やバブル発生装置２７等の作用による旋回流と気泡などにより、特に洗剤を必要としない洗浄が行えて、洗剤使用による身体、特に皮膚（アトピー症など）への悪影響や排水後の環境汚染が防止される。
【００２８】
湯ｂに浸かる入浴が終われば、湯排出ボタン２２を操作すると、直ちに、外框体２内の湯ｂは通孔７および排出口５を経て外部へ排出される。このとき、中間室３の旋回手段６を操作すれば、この羽根体１５によって発生する渦巻き流により外框体２内の湯ｂは中間室３内へ吸引されるので、湯ｂの排出が促進されると共に、入浴に際して生じた落下異物や湯垢などもこの渦巻き流と共に排出口５へ送られて、外框体２内や中間室３内の清掃が一緒に行われる。
この状態で、シャワーを使用するときは、シャワー部材作動ボタン２３を操作すれば、外框体２の上方に設置したシャワー部材１７から温水や冷水が噴射させることができる。
【００２９】
入浴が済めば、中間室３の旋回手段６および外框体２の上部の排気部材１９を作動させると、空となった中間室３内の空気が通孔７を経て外框体２内へ送り込まれて、入浴利用者ｃの身体を乾燥させる。同時に、中間室３および外框体２の内部も乾燥されるので、使用後の各部の管理が容易となる。
【００３０】
次に、図６〜図９においてＡは第二の実施例を示す入浴装置で、本体４０と、載置台１と、外框体２と、扉体４１と、中間室３と、湯ｂの供給口４および湯ｂの排出口５と、旋回手段６とにより基本的に構成される。
この第二実施例にあっては、利用者が湯に浸かる湯槽となる外框体２は本体４０に対して固定式に設けたものである。
【００３１】
そして、前記した本体４０は、縦長のカプセル状に形成して、一側部に後記する外框体２の一側部が露出する取付部４３を開口させてある。
【００３２】
前記した載置台１は、前記第一実施例と同様に構成される（同一部材は同一符号を付す。）もので、本体４０内の下側において後記する外框体２の底部に設けてあって、その一部または全体に通孔７，７…を多数個穿設してあるもので、該載置台１の上部に入浴に際して利用者ｃが載置する。
【００３３】
前記した外框体２は、横断面が円形や角形等の容器状（カプセル状）に形成してあって、載置台１の外周部に立設させて一側部に利用者ｃの出入り可能となる通路４４を開口させ、この通路４４を除いた部分の内部においては水密性が保たれるように構成される。また、後記する扉体４１が該通路４４を水密的に閉塞したとき、この外框体２の内部に中間室３を介して湯を溜めることで、利用者ｃがこの外框体２内において立ったままの状態で入浴や洗浄動作が可能となる高さや幅方向の寸法を有する。
【００３４】
前記した扉体４１は、外框体２の通路４４を開閉自在とするもので、この通路４４が該扉体４１によって閉塞されたとき、この扉体４１と外框体２との間に設けた水密部材（図示せず）により該外框体２内は水密的に保持され、外部への漏水はない。
この扉体４１の開閉操作にあっては、任意の手段が採用されるものであり、例えば、図８（ａ）に示すように、一体状に形成した扉体４１を、外框体２面を上下に摺動するように設けるか、図８（ｂ）に示すように、上下方向へ二分割させた扉体４１，４１を、外框体２面を上下に摺動するように設けるか、図８（ｃ）に示すように、横断平面形状円形に形成した外框体２の外周面を倣って摺動する同心状の扉体４１を、該外框体２の外周面に沿って摺動するように設ける。
この扉体４１の移動駆動にあっては、手動または電動などによる自動等により行われる。
なお、この扉体４１は、図示してないが、複数に分割してそれらが連動的に上下方向あるいは横方向へ移動させても良い。
【００３５】
前記した中間室３は、前記第一実施例と同様に構成される（同一部材は同一符号を付す。）もので、載置台１の下側に設けて外框体２の内部と通孔７を介して連通させてある。
【００３６】
前記した湯ｂの供給口４および湯ｂの排出口５は、前記第一実施例と同様に構成される（同一部材は同一符号を付す。）もので、中間室３に設けてある。
なお、湯ｂの供給口４へ供給する湯ｂは、湯圧送手段１１により行われるもので、図４に示すものと同様の手段が用いられる。また、貯留槽１２は、図９に示すように、本体４０内へ外框体２等と一体的に設けることもできる。
【００３７】
前記した旋回手段６は、前記第一実施例と同様に構成される（同一部材は同一符号を付す。）もので、中間室３内に設けて載置台１の通孔７より空気を圧送する。
【００３８】
なお、外框体２内において、載置台１（外框体２の内部適所であっても構わない。）の適所には、図５に示す形態と同様のように、入浴利用者ｃが直ちに操作することができる湯供給・停止ボタン２１と、湯排出ボタン２２およびシャワー部材作動ボタン２３，旋回手段６と排気部材１９更には扉体４１の開閉操作を作動させる操作ボタン２４、更には、外框体２の昇降部材あるいは扉体４１の開閉操作の作動ボタン３０とを設けてあるもので、入浴利用者ｃが足踏みによって操作できる位置でかつ入浴に妨げとならない位置に設けられる。更には、第一実施例と同様に、バブル発生装置２７よる超音波の発生や供給体２８からのマイナスイオンやオゾンなども供給することができる（図示しない。）。
【００３９】
したがって、前述のように構成される本発明の第二実施例の入浴装置Ａは以下に述べる作用を奏する。
基本的な作用は前記第一実施例と同様に奏されるものであるが、特に、外框体２に対する利用者ｃの対応が異なる。すなわち、利用者ｃの入浴に際しては、外框体２に開口した通路４４を閉塞している扉体４１を移動して該通路４４を開放する。
【００４０】
利用者ｃは、この通路４４から外框体２内へ入り作動ボタン３０などにより扉体４１を操作して、該通路４４を閉塞する。外框体２内部は外部に対して水密的に保たれるが、通孔７や排気部材１９などによって空気の流通は自由に行える。そして、前記第一実施例と同様に、外框体２内に湯圧送手段１１によって所定水位に充満させた湯ｂに浸かった入浴と、シャワー部材１７との入浴とを選択的に行うことができる。また、利用者ｃの身体の乾燥と外框体２内の乾燥も、中間室３の旋回手段６および外框体２の上部の排気部材１９を作動させると、空となった中間室３内の空気が通孔７を経て外框体２内へ送り込まれて、入浴利用者ｃの身体を乾燥させる。
同時に、中間室３および外框体２の内部も乾燥されるので、使用後の各部の管理が容易となる。
【００４１】
基本的には、本第二実施例にあっては、扉体４１を設けた以外には、前記第一実施例と同様の構成および作用・効果を発揮する。
【００４２】
【発明の効果】
本発明は、わずかな設置スペースで、入浴に必要な装置を配置することができる。また、入浴利用者は、立った状態で、湯に浸かった入浴とシャワーとの入浴とを兼用使用することができる。
【図面の簡単な説明】
【図１】  本発明に関する入浴装置の第一の実施例の概要を示す縦断正面図である。
【図２】  図１における入浴装置の外框体部が降下した状態を示す縦断正面図である。
【図３】  図１における入浴装置の外框体の他の例を示す要部の縦断正面図である。
【図４】  図１における入浴装置の湯の圧送状態を示す説明図である。
【図５】  図１における入浴装置の載置台部を示す平面図である。
【図６】  本発明に関する入浴装置の第二の実施例の概要を示す縦断正面図である。
【図７】  図６における入浴装置の外框体部が降下した状態を示す縦断正面図である。
【図８】  図６における入浴装置を扉体の各例を示す説明図である。
【図９】  図６における入浴装置の外框体と湯圧送手段との一体化させた例を示す説明図である。
【符号の説明】
Ａ…入浴装置．ｂ…湯．１…載置台．２…外框体．３…中間室．４…供給口．５…排出口．６…旋回手段．７…通孔．１１…湯圧送手段．１７…シャワー部材．４０…本体．４１…扉体
【図１】
0004036365.tif 000002
【図２】
0004036365.tif 000003
【図３】
0004036365.tif 000004
【図４】
0004036365.tif 000005
【図５】
0004036365.tif 000006
【図６】
0004036365.tif 000007
【図７】
0004036365.tif 000008
【図８】
0004036365.tif 000009
【図９】
0004036365.tif 000010